(57)【要約】【課題】被駆動部材の往復作動の精度を良好にするとともに、部品費用だけでなく組み立て工程を減らすことによって低コスト化を達成することができる駆動装置を提供する。【解決手段】所定範囲において往復動作するマグネット１と、コイル２と、前記マグネットに対向する磁極部５ｂ，５ｃ，５ｇ，５ｈ，５ｋ，５ｌと、前記マグネットの動作規制を行う規制部５e，５n，５jとを有し、前記コイルへの通電を切り換えることにより前記マグネットを往復動作させ、被駆動部材を往復作動させる駆動装置において、前記磁極部と前記規制部を、同一部材５により一体に形成する。【選択図】図１
2005080493.tif 000002
【特許請求の範囲】
【請求項１】
所定範囲において往復動作するマグネットと、コイルと、前記マグネットに対向する磁極部と、前記マグネットの動作規制を行う規制部とを有し、前記コイルへの通電を切り換えることにより前記マグネットを往復動作させ、被駆動部材を往復作動させる駆動装置において、
前記磁極部と前記規制部を、同一部材により一体に形成したことを特徴とする駆動装置。
【請求項２】
前記磁極部と前記規制部が形成される前記同一部材は、前記マグネットを往復動作可能に保持する部材であることを特徴とする請求項１に記載の駆動装置。
【請求項３】
マグネット、コイルおよび前記マグネットに対向する磁極部を有し、前記コイルへの通電によって作動するモータと、光束が通過する開口部を有する部材と、前記モータによって駆動され、前記開口部を通過する光量を調節する光量調節部材とを有する光量調節装置において、前記開口部を有する部材は、前記磁極部の一部を成すことを特徴とする光量調節装置。
【請求項４】
外周面が周方向に分割して異なる極に交互に着磁され、回転可能に保持されたマグネットと、該マグネットと同心でかつ該マグネットの軸方向に配置されたコイルと、前記マグネットの回転軸方向に延出することで形成されるとともに前記マグネットの外周面に対向し前記コイルにより励磁される磁極部と、前記マグネットの内径部に固定された軟磁性材料からなる回転可能なロータとによって構成され、前記コイルへの通電によって往復作動するモータと、光束が通過する開口部を有する部材と、前記モータによって駆動され、前記開口部を通過する光量を調節する光量調節部材とを有する光量調節装置において、前記開口部を有する部材は、前記磁極部の一部を成すことを特徴とする光量調節装置。
【請求項５】
前記開口部を有する部材は、前記マグネットの動作規制をする規制部の一部をも成すことを特徴とする請求項３又は４に記載の光量調節装置。
【請求項６】
前記磁極部及び前記規制部材は、前記開口部を有する部材をプレス加工することにより一体成形されることを特徴とする請求項５に記載のシャッタ装置。
【請求項７】
請求項３ないし６のいずれかに記載の光量調節装置を具備することを特徴とする撮影装置。
【発明の詳細な説明】
【技術分野】
【０００１】
本発明は、被駆動部材を往復作動させる駆動装置や、開口部を通過する光量を調節する光量調節部材を有する光量調節装置及び該光量調節装置を具備する撮影装置の改良に関するものである。
【背景技術】
【０００２】
従来のレンズシャッタカメラのシャッタ装置としては、図９〜図１１に示すものがある（例えば、特許文献１参照）。
【０００３】
これらの図において、１０１はマグネット、１０２ａは駆動レバー１０２に設けられた駆動ピンである。駆動レバー１０２はマグネット１０１に固着され、マグネット１０１と一体的に回動する。１０３はコイル、１０４は軟磁性材料から成り、コイル１０３により励磁されるコの字状のステータである。コイル１０３への通電により、ステータ１０４に設けられた磁極部１０４ａ，１０４ｂがそれぞれ励磁され、これに伴いマグネット１０１は所定の角度内を往復回転する。１０５はステータ１０４をシャッタ装置本体に固定するためのネジである。１０６，１０７はシャッタ羽根であり、１０８は中央に光路となる開口部１０８ａをもつ地板である。シャッタ羽根１０６，１０７は、長穴にて駆動ピン１０２ａと摺動可能に嵌合しており、マグネット１０１とともに駆動レバー１０２が回転することによって、１０６ａおよび１０７ａを支点としてそれぞれ回転する。２枚のシャッタ羽根１０６，１０７が相対的に回転移動することによって、地板１０８の開口部１０８ａを覆う閉状態と、開口部１０８ａから退避した開状態とに駆動されるものである。
【０００４】
本特許文献１における駆動装置のしくみについて、駆動装置部のみを取り出した平面図である図１０及び図１１を用いて簡単に説明する。このうち図１０はシャッタ羽根１０６および１０７が開口部１０８ａを閉鎖した閉状態にある第１の状態での駆動装置の様子であり、図１１はシャッタ羽根１０６および１０７が開口部１０８ａから退避した開状態にある第２の状態での駆動装置の様子である。
【０００５】
マグネット１０１は図１０に示すように外周面を２極に着磁されている。詳しくは、１０１ａ部がＳ極に、１０１ｂ部がＮ極に着磁されている。図１０の状態からコイル１０３に電流を流し、ステータ１０４の磁極部１０４ａをＳ極に、磁極部１０４ｂをＮ極に励磁すると、マグネット１０１は時計方向に回転し、不図示のマグネット１０１の回転範囲を規制する回転規制部材によって回転を止められ、図１１に示す状態になる。この時、シャッタ羽根は開口部１０８ａから退避する状態にある。この状態からコイル１０３へ逆通電を行い、ステータ１０４の磁極部１０４ａをＮ極に、磁極部１０４ｂをＳ極に励磁すると、マグネット１０１は反時計方向に回転し、回転規制部材によって回転を止められ、図１０に示す状態に再び戻る。この時シャッタ羽根は開口部１０８ａを覆う場所にある。
【０００６】
上記のようにコイル１０３への通電方向を切り替えることによって、マグネット１０１は往復回転を行い、回転規制部材によって所定角度範囲内でのみ回転してシャッタ羽根１０６，１０７を駆動し、開口部１０８ａの開閉を行っているのである。
【０００７】
ところで、カメラにおいてシャッタスピードは大いに重要な要素である。シャッタスピードにばらつきがあると、撮像素子（フィルム）への露光量がさまざまに変化してしまい、適正な露出が得られない。よって、シャッタスピード、すなわちシャッタスピードを決めている駆動装置の駆動精度が求められ、シャッタユニットごとにその精度が異ならないように管理される必要がある。この点に注目し、特許文献１で提案のシャッタ装置は駆動装置部に機械的調整機構を持ち、シャッタ地板に対して駆動装置が適切な特性の得られる位置へ調整できる構造となっている。詳しくは、ステータ１０４をマグネット１０１と同心的に回動させ（ガイド部１０８ｂに倣ってステータ１０４を移動させる）、シャッタ羽根１０６，１０７の開閉作動の適正特性が得られた位置でネジ１０５を締めて地板１０８に固定させている。
【特許文献１】特開平０８−１１４８３２号公報
【発明の開示】
【発明が解決しようとする課題】
【０００８】
しかしながら、前述のようなシャッタ装置はシャッタ羽根の開閉作動の適正特性が得られる位置に個別に調整する必要がある。この作業はコストも時間もかかるという問題があった。そこで、駆動装置を調整することなく、精度よく駆動されるシャッタユニットが求められている。
【０００９】
シャッタ羽根の駆動速度、つまり駆動装置のマグネットの回転速度は、マグネットが停止した位置（図１０および図１１の状態）における着磁されたマグネットの極と極の境界と、ステータ磁極部との位相関係によって決定されている。これは磁極部に対するマグネットの回転位相によって、励磁された磁極部にマグネットが吸引される力が異なるために起こるものである。
【００１０】
以上のことを考慮すると、シャッタ羽根の駆動速度に影響を与える因子としてあげられるのは、駆動装置に対する開口部の位置、マグネット停止状態におけるマグネットと磁極部の関係、つまりマグネットの回転の規制をしている規制部材と磁極部の位置関係、およびシャッタ羽根の形状である。これらすべての位置関係が一致すれば、すべてのシャッタユニットの駆動精度はかなりよいものになると言える。よって、固定子である開口部を有する地板およびステータ（磁極部）とマグネットの回転規制部材が一体で成形されれば、シャッタ羽根の駆動スピードの要因となる上記の要素の位置関係を管理することが容易となる。すなわち、駆動装置の調整なしでも、精度がよく、ばらつきの少ないシャッタ羽根駆動を行うシャッタユニットを提供することができる。さらにこれらを一体で成形されるということは、それらを組み立てる工程を無くすことができるので、低コスト化にもつながる。
【課題を解決するための手段】
【００１１】
上記課題を解決するために、請求項１に記載の発明は、所定範囲において往復動作するマグネットと、コイルと、前記マグネットに対向する磁極部と、前記マグネットの動作規制を行う規制部とを有し、前記コイルへの通電を切り換えることにより前記マグネットを往復動作させ、被駆動部を往復作動させる駆動装置において、前記磁極部と前記規制部を、同一部材により一体に形成した駆動装置とするものである。
【００１２】
上記構成においては、駆動装置の構成要素である磁極部と前記規制部を同一部材により形成し、これらの位置関係を一定にして、これら部品位置の管理を不要にしている。
【００１３】
また、請求項３に記載の発明は、マグネット、コイルおよび前記マグネットに対向する磁極部を有し、前記コイルへの通電によって作動するモータと、光束が通過する開口部を有する部材と、前記モータによって駆動され、前記開口部を通過する光量を調節する光量調節部材とを有する光量調節装置において、前記開口部を有する部材は、前記磁極部の一部を成す光量調節装置とするものである。
【００１４】
また、請求項４に記載の発明は、外周面が周方向に分割して異なる極に交互に着磁され、回転可能に保持されたマグネットと、該マグネットと同心でかつ該マグネットの軸方向に配置されたコイルと、前記マグネットの回転軸方向に延出することで形成されるとともに前記マグネットの外周面に対向し前記コイルにより励磁される磁極部と、前記マグネットの内径部に固定された軟磁性材料からなる回転可能なロータとによって構成され、前記コイルへの通電によって往復作動するモータと、光束が通過する開口部を有する部材と、前記モータによって駆動され、前記開口部を通過する光量を調節する光量調節部材とを有する光量調節装置において、前記開口部を有する部材は、前記磁極部の一部を成す光量調節装置とするものである。
【００１５】
上記請求項３又は４に記載の構成によれば、光量調節部材の構成要素である少なくとも磁極部を、前記開口部を有する部材の一部により形成し、これらの位置関係を一定にして、これら部品位置の管理を不要にしている。
【００１６】
また、請求項７に記載の発明は、請求項３ないし６のいずれかに記載の光量調節装置を具備する撮影装置とするものである。
【発明の効果】
【００１７】
請求項１又は２に記載の発明によれば、被駆動部材の往復作動の精度を良好にするとともに、部品費用だけでなく組み立て工程を減らすことによって低コスト化を達成することのできる駆動装置を提供できるものである。
【００１８】
また、請求項３ないし７のいずれかに記載の発明によれば、光量調節部材の駆動精度を良好にするとともに、部品費用だけでなく組み立て工程を減らすことによって低コスト化を達成することのできる光量調節装置又は撮影装置を提供できるものである。
【発明を実施するための最良の形態】
【００１９】
以下の実施例１に示す通りである。
【実施例１】
【００２０】
図１は本発明の一実施例に係る光量調節装置の分解斜視図、図２は本発明の光量調節装置におけるシャッタ羽根の駆動源である駆動装置部の回転軸方向の断面図である。図３は図１のシャッタ装置に具備されるステータ５の平面図である。図４および図５は図２の駆動装置が規制された所定角度範囲内で往復回転駆動する際の様子を示す図であり、詳しくは図４は駆動装置が第１の状態での図２におけるＡ−Ａ断面図であり、図５は駆動装置が第２の状態での図２におけるＡ−Ａ断面図である。また、図６〜図８は組み立て後の図１のシャッタ装置を上カバーなどを除いた場合の斜視図であり、図６はシャッタ羽根によって開口部を閉鎖した状態、図７はシャッタ羽根が開口部から退避して小絞り羽根が開口部位置に挿入した状態、図８はシャッタ羽根が開口部から退避してＮＤフィルタ羽根が開口部位置に挿入した状態を示す図である。
【００２１】
これらの図において、１は円筒形状のマグネットであり、外周面を円周方向にｎ分割（本実施の形態では４分割）して交互にＳ極とＮ極に着磁されている。詳しくは図４に示すように、着磁部１ａおよび１ｃの外周面がＮ極に、着磁部１ｂおよび１ｄの外周面がＳ極に着磁されている。
【００２２】
２は円筒形状のコイルであり、絶縁形状からなるボビン３に巻きつけられている。このコイル２は前記マグネット１と同心で、かつマグネット１の回転軸方向であってマグネット１の隣接する位置に配置され、その外径がマグネット１の外径とほぼ同じ寸法である。４は駆動装置の出力軸となる軟磁性材料からなるロータであり、軸部４ｃ，４ｄが後述のステータ５と上カバー１０に回転可能に嵌合し保持される。ロータ４はその円筒部４ａの外径がマグネット１の内径と同じであって、この部分でマグネット１に直接固定される。また、ロータ４の円筒部４ｂはコイル２の内径部に挿入され、その外径寸法はボビン３の内径寸法よりもやや小さく、ロータ４が回転する際、ボビン３に接触しない程度の寸法となっている。そして、コイル２に通電することによってロータ４は励磁され、円筒部４ａは内側磁極部としてマグネット１に作用する。また、円筒部４ａはマグネット１と接着されていることにより、バックメタルとしても作用している。４ｅは駆動ピンであり、マグネット１の回転に伴い、後述のシャッタ羽根を駆動させる。ロータ４とマグネット１との接着の際にはマグネット１の極と極の境界上に駆動ピン４ｅがくるように接着される。
【００２３】
本実施例では、駆動ピン４ｅはロータ４と一体で作成したが、別体にて作成し、ロータ４あるいはマグネット１に接着されても構わない。
【００２４】
５は図３にその平面図が示される軟磁性材料からなるステータである。ステータ５の中央部にシャッタ装置の光が通過する開口部５ａが設けられ、その外側には駆動装置の外側磁極部が一体で構成されている。本実施例におけるシャッタ装置は駆動装置が３つ設けられるタイプのものであって、５ｇ〜５ｊおよび５ｋ〜５ｎに関しては、５ｂ〜５ｅと同様にして形成されたものであるので、説明は５ｂ〜５ｅにて代用する。
【００２５】
前記外側磁極部５ｂ，５ｃ(図１、図５参照)は、回転軸方向に延びるｎ／２個（本実施例では２個）の歯形状であり、７２０／ｎ度（本実施の形態では１８０度）ずれて形成されており、歯先において軸方向と垂直な面にて接続した形となっている。外側磁極部をこのような形状にしたことによって、ステータ５は平板をプレス工程によって一体で成形可能な形状としている。外側磁極部５ｂおよび５ｃは前記マグネット１の外周面に所定の隙間を持って対向しており（図２、図４等参照）、前記コイル２に通電されると外側磁極部５ｂおよび５ｃが励磁され、マグネット１に作用する。
【００２６】
ステータ５は、軸方向と垂直な面に設けられた穴部５ｄによって前記ロータ４の軸部４ｃと嵌合し、これによりロータ４と磁気的に接続される。また、ステータ５にはマグネット１の回転規制案内溝５ｅが設けられており、ロータ４が回転する際にその駆動ピン４ｅがこの溝５ｅ内に挿入され、駆動ピン４ｅが溝５ｅの端に当接することによって回転が止められる。図４は駆動ピン４ｅが溝５ｅの一端に当接した第１の状態における図２のＡ−Ａ断面図であり、図５は駆動ピン４ｅが溝５ｅの他端に当接した第２の状態における図２のＡ−Ａ断面図である。この第１の状態と第２の状態とに駆動する仕組みについては後述する。
【００２７】
上記のようにステータ５は、回転軸方向に延びる２つの磁極部５ｂ，５ｃと、これに垂直な面にて接続した形となっており、また図３のように穴部５ｓを設けて平板をプレスする際に絞りやすい形状とした。さらに、この穴部５ｓ内に駆動ピン４ｅを出し、またこの穴５ｓの淵に回転規制案内溝５ｅを設けた形状としたことによって、簡単にプレス成形可能な形状としている。また案内溝５ｅはマグネット１の近傍に設けたことによって、マグネット１の回転を正確に規制することが可能となっている。
【００２８】
６は第１のシャッタ羽根であり、ロータ４の回転軸を支点として回動するのもので、ロータ４の駆動ピン４ｅと長穴６ｂ（不図示であるが、図１の長穴７ｂの下方にある）にて摺動可能に嵌合しており、駆動ピン４ｅの往復回転に伴い、開口部５ａに進退出する。図１等より明らかなように、シャッタ羽根６はロータ４の回転方向と同方向に回転する。７は第２のシャッタ羽根であり、ステータ５に設けられた突起５ｆを支点として回動するもので、ロータ４の駆動ピン４ｅと長穴７ｂにて摺動可能に嵌合しており、駆動ピン４ｅの往復回転に伴い、開口部５ａに進退出する。図１等より明らかなように、シャッタ羽根７はロータ４の回転方向とは逆方向に回転する。
【００２９】
上記２枚のシャッタ羽根６，７はロータ４に設けられた駆動ピン４ｅの回転に伴って回転を行い、またそれぞれのシャッタ羽根は互いに逆方向に作動することにより、開口部５ａを閉鎖する図６の状態（図４の状態）と、開口部から退避する図７の状態（図５の状態）とに駆動されるものである。
【００３０】
１１および２１はマグネットであり、前述のマグネット１と同一のものであるので説明は省略する。１２および２２はコイルであり、前述のコイル２と同一形状である。１３および２３はボビンであり、前述のボビン３と同一形状である。１４および２４はロータであり、前述のロータ４と同一形状であり、それぞれ回転可能に保持されている。
【００３１】
８は中央にステータ５の開口部５ａよりも小さな径の開口部８ｃを設けた小絞り羽根である。この小絞り羽根８はロータ１４の回転軸を支点とし、駆動ピン１４ｅと長穴８ｂが摺動可能に嵌合することによって駆動され、ステータ５の開口部５ａへ進退出する。図６は小絞り羽根８が開口部５ａから退避した状態であり、図７は開口部５ａへ進入した状態を示している。小絞り羽根８はその中央にステータ５の開口部５ａよりも小さな径を持つ開口部８ｃを持つので、開口を絞り、通過する光量を少なくする必要のある際に駆動してから撮影を行う。
【００３２】
９はＮＤフィルタ９ｃが接着されているＮＤフィルタ羽根である。ロータ２４の回転軸を支点とし、駆動ピン２４ｅと長穴９ｂが摺動可能に嵌合することによって駆動され、ステータ５の開口部５ａへ進退出する。図６はＮＤフィルタ羽根９が開口部５ａから退避した状態であり、図８は開口部５ａへ進入した状態を示している。露光量を減らす必要のある場合、開口径を絞れば良いが、ある程度より開口径を絞ると回折したり、ピンぼけしたりなどの影響を受け、きれいな画像にならない。これを避けるため、ＮＤフィルタ９ｃを挿入することが多い。ＮＤフィルタ羽根９は小絞り羽根８を挿入することによる露光量よりもさらに露光量を減らす必要のある際に開口部５ａに挿入させられ、撮影が行われる。
１０は、マグネット１，２，３、シャッタ羽根６および７、小絞り羽根８、ＮＤフィルタ羽根９の抜け止めとなる上カバーである。中央に開口部１０ａを持ち、穴部１０ｂ，１０ｃ，１０ｄにおいてそれぞれロータの軸部４ｄ，１４ｄ，２４ｄが回転可能に嵌合し、保持している。この上カバー１０はシャッタ羽根６および７、小絞り羽根８、ＮＤフィルタ羽根９がそれぞれ駆動可能なようにステータ５と所定の隙間が空けられており、その位置はステータ５に設けられた突部５ｏ，５ｐ，５ｑによって制限され、ステータ５に固定される。また、不図示であるが、シャッタ羽根６および７と小絞り羽根８との間、および小絞り羽根８とＮＤフィルタ羽根９との間にはそれぞれの駆動を干渉しないようフィルタなどによって仕切られている。
【００３３】
以上によって、本実施例における光量調節装置は構成されており、詳しくは、部品１〜５によって構成される第１の駆動装置によってシャッタ羽根６，７の開閉が行われ、部品５および１１〜１４によって構成される第２の駆動装置によって小絞り羽根８の進退が行われ、部品５および２１〜２４によって構成される第３の駆動装置によってＮＤフィルタ羽根９の駆動が行われることになる。
【００３４】
開口を絞る必要のないときは、小絞り羽根８およびＮＤフィルタ羽根９は開口部５ａから退避させた場所にしておき、シャッタ羽根６，７の開閉をして撮影する。一方、開口を絞る必要のある時には、小絞り羽根８を開口部５ａに挿入させ、ＮＤフィルタ羽根９は開口部５ａから退避させた状態にしてから、シャッタ羽根６，７を開閉し、撮影を行う。さらに露光量を減らす必要のある場合には、ＮＤフィルタ羽根９を開口部５ａに挿入させた状態にしてから、シャッタ羽根６，７を開閉し、撮影を行う。以上のようにして本実施例の光量調節装置は３つの駆動を行うことで、露光量を制御している。
【００３５】
次に、本実施例における、部品１〜５によって構成される第１の駆動装置の駆動の様子について詳しく説明する。なお、部品１１〜１４および２１〜２４によって構成される第２及び第３駆動装置２においても、上記第１の駆動装置と仕組みは全く同じであるので、説明は第１の駆動装置のみで行う。
【００３６】
図４の状態（駆動ピン４ｅが案内溝５ｅの一端に当接した第１の状態）からコイル２に通電を行い、ステータ５の外側磁極部５ｂおよび５ｃをＳ極に、ロータ４の内側磁極部４ａをＮ極にそれぞれ励磁すると、マグネット１は反時計周りに回転する。マグネット１の回転とともに回転し、ステータ５の案内溝５ｅ内に挿入された駆動ピン４ｅが案内溝５ｅの他端に当接することで、回転は停止する。これが図５の状態（第２の状態）である。この状態からコイル２に逆通電を行い、ステータ５の外側磁極部５ｂおよび５ｃをN極に、ロータ４の内側磁極部４ａをS極にそれぞれ励磁すると、マグネット１は時計周りに回転する。先ほどと同様にして駆動ピン４ｅが案内溝５ｅの一端に当接したところで回転は停止し、再び図４の状態に戻る。
【００３７】
上記本実施例によれば、マグネット１の内径部に内側磁極部５ａを固定することによって、マグネットの内径部に現れるＳ極、Ｎ極との間の磁気抵抗を小さくするいわゆるバックメタルとして作用し、磁気的劣化が少ないだけでなく、マグネット１の機械的強度も大きくさせることができる。また、ロータ４は軸部４ｃにおいてステータ５と磁気的に接続され、内側磁極部４ａから外側磁極部５ｂおよび５ｃへと磁気回路を構成し、その磁気回路はマグネット１を横切るので、コイル２への通電により発生する磁力が効果的にマグネット１に作用する構成となっている。これにより、本駆動装置はコンパクトでありながら、高出力な駆動装置となっている。
【００３８】
以上のようにして、コイル２への通電方向を切り替えることによって所定の角度内で駆動可能な駆動装置となっている。
【００３９】
しかしながら、このようなタイプの駆動装置は動き始め（図４あるいは図５の状態）においてマグネットの極と極の境界に対する外側磁極部との位相関係がどうような関係にあるかによって、その駆動速度が変わってしまう。これは、マグネットが外側磁極部に対向する角度によって、該マグネットが外側磁極部に吸引される力が変化するためである。すなわち、停止した位置におけるマグネットと外側磁極部との位相関係が駆動装置ごとに変わってしまうと、駆動速度もユニットごとに変わることになり、大変好ましくない。
【００４０】
シャッタ装置の場合、シャッタ速度は露出量を決定しておりシャッタスピードのユニット差はできるだけ減らすべきである。シャッタスピードに寄与する要素は、シャッタ羽根、開口部、外側磁極部、ロータ回転規制の案内溝である。これらの要素が一体的に構成されれば、ユニットごとの位置誤差はほとんどなくなると言ってよい。しかしシャッタ羽根は移動するものであり、固定子と一体で構成されることは有り得ない。
【００４１】
そこで、固定子要素である、開口部、外側磁極部、ロータ回転規制案内溝を一体で構成すれば、ユニットごとの差異や不良はほとんど無くなることから、本実施例では、開口部５ａ、外側磁極部５ｂ，５ｃ、回転規制案内溝５ｅの３つの要素をすべて同一部材であるステータ５にて構成するようにしている。さらに、本実施例における駆動装置はマグネットを内側磁極部と外側磁極部で挟む構造としており、コイルによって発生した磁束がマグネットに効果的に作用するためにコンパクトで高出力となる構成になっている。さらに、外側磁極部をお椀のように突出した単純形状にしたことにより、板金をプレス加工することによってシャッタ地板と一体成形可能な形状になっている。
【００４２】
以上のように、ステータ５に、従来別部品だった開口部を有する地板、外側磁極部、マグネットの回転規制部材を具備するようにしているので、シャッタ装置のシャッタ羽根駆動性能を良くするだけでなく、それらの組み付けにかかる費用もなく、またステータ部品そのものの形状が単純であるため、部品コストも削減できるという効果がある。また、駆動装置を複数個とりつけても、外側磁極部は全て一体で構成されるので、その分コストがかからないという特徴もある。つまり、シャッタ羽根の駆動精度がよく、部品費用だけでなく組み立て工程を減らすことによって、低コストとなるシャッタ装置とすることができる。
【００４３】
また、本実施例における光量調節装置の光軸方向の厚みは、開口部の外側に配置された外側磁極部の長さと、開口部周辺ではステータ、上カバーの２枚の板厚と、シャッタ室の空間のみで決定されるので、非常に薄型なシャッタ装置でとなる。特許文献１では前地板の他にマグネットを回転可能に保持する後地板が必要であったが、本実施例におけるシャッタ装置はマグネットをステータで受けているので、この分の厚みも無くなっている。
【００４４】
（変形例）
上記実施例では、シャッタ装置等の光量調節装置を例にしているが、これに限定されるものではない。例えば、所定の範囲において往復動作（回転以外も含む）するマグネットと、コイルと、前記マグネットに対向する磁極部と、前記マグネットの動作規制を行う規制部とを有し、前記コイルへの通電を切り換えることにより前記マグネットを往復動作させ、該マグネットの動作に連動するように構成された被駆動部材を往復作動させる駆動装置（リニアモータを含む）にも適用可能である。この場合、前記磁極部と前記規制部を同一部材により一体形成することで、駆動精度を良好にすることができるとともに、固体差の無い駆動装置を大量生産することが可能になる。更に、前記マグネットは地板等の保持板に動作可能に保持されるが、この保持板を前記磁極部と前記規制部が形成される前記同一部材とすることで、つまり、前記磁極部と前記規制部と保持板それぞれを同一部材とすることで、上記効果をさらに高めることができる。
【００４５】
また、上記の実施例の光量調節装置では、ユニットごとの差異や不良を無くするために、開口部５ａを有するステータ５に、外側磁極部５ｂ，５ｃと回転規制案内溝５ｅの固定要素をそれぞれ形成するようにしているが、前記回転規制案内溝５ｅは作動部材であるシャッタ羽根等に構成されることもあるため、少なくとも外側磁極部５ｂ，５ｃのみを形成するようにしても、従来に比べてシャッタ羽根等の駆動の精度及び組み立て作業性がよく、かつユニットごとのばらつきの少ない光量調節装置とすることができる。
【００４６】
また、磁極部として、外側磁極部と内側磁極部を有する例を示しているが、一方の磁極部のみであってもよい。
【００４７】
さらに、駆動装置を３つ用いて、光量調節部材であるシャッタ羽根、小絞り羽根、ＮＤフィルタ羽根の駆動をそれぞれ行う光量調節装置としたが、もちろん駆動装置は１つ又は２つでも構わないし、４つ以上でも構わない。
【００４８】
更に、本実施例では、駆動装置は開口部に対して同一側に並べて配置したことによって省スペースとなり、さらに基盤などへの配線が単純となる構造にしてあるが、必ずしもこれに限るものではなく、それぞれの駆動装置は開口部に対してどのように配置されていても構わない。
【産業上の利用可能性】
【００４９】
本発明の光量調節装置は、光量調節機能を必要とする撮影装置、露光装置、撮影機能を有する携帯電話などへの利用が可能である。
【図面の簡単な説明】
【００５０】
【図１】本発明の一実施例におけるシャッタ装置の分解斜視図である。
【図２】図１のシャッタ装置の駆動装置部の回転軸方向断面図である。
【図３】図１のシャッタ装置のステータ５の平面図である。
【図４】図２の駆動装置の第１の状態における図２におけるＡ−Ａ断面図である。
【図５】図２の駆動装置の第２の状態における図２におけるＡ−Ａ断面図である。
【図６】本発明の一実施例におけるシャッタ装置のシャッタ羽根、小絞り羽根、ＮＤフィルタ羽根の様子を示す図である。
【図７】本発明の一実施例におけるシャッタ装置のシャッタ羽根、小絞り羽根、ＮＤフィルタ羽根の様子を示す図である。
【図８】本発明の一実施例におけるシャッタ装置のシャッタ羽根、小絞り羽根、ＮＤフィルタ羽根の様子を示す図である。
【図９】特許文献１におけるシャッタ装置の平面図である。
【図１０】図９のシャッタ装置における駆動装置部の第１の状態における平面図である。
【図１１】図９のシャッタ装置における駆動装置部の第２の状態における平面図である
【符号の説明】
【００５１】
１       マグネット
２       コイル
３       ボビン
４       ロータ
４ａ    内側磁極部
４ｅ    駆動ピン
５       ステータ
５ａ    開口部
５ｂ，５ｃ，５ｇ，５ｈ，５ｋ，５ｌ              外側磁極部
５ｅ，５ｊ，５ｎ       回転規制案内溝
６，７                シャッタ羽根
８       小絞り羽根
９       ＮＤフィルタ羽根
９ｃ    ＮＤフィルタ
１０    上カバー
【図１】
2005080493.tif 000003
【図２】
2005080493.tif 000004
【図３】
2005080493.tif 000005
【図４】
2005080493.tif 000006
【図５】
2005080493.tif 000007
【図６】
2005080493.tif 000008
【図７】
2005080493.tif 000009
【図８】
2005080493.tif 000010
【図９】
2005080493.tif 000011
【図１０】
2005080493.tif 000012
【図１１】
2005080493.tif 000013